(57)【要約】【課題】放熱部のサイズの小型化を図ること。【解決手段】実施形態に係る照明装置１０は、照射口１３が形成された筐体１１を具備する。照明装置１０は、筐体１１内に設けられ、照射口１３に向けて光を発する発光素子２２を具備する。照明装置１０は、発光素子２２に対して、照射口１３が位置する側とは逆側に設けられ、発光素子２２の熱を放熱させるための放熱部２５を具備する。照明装置１０は、筐体１１を鉛直方向に回動可能に支持する支持部の一例であるアーム１４を具備する。照明装置１０は、筐体１１の姿勢を検知する検知部２６を具備する。照明装置１０は、検知部２６により検知された筐体１１の姿勢が、照射口１３が鉛直方向における上向きとなるような上向き姿勢である場合に、発光素子２２から発される光の光量を小さくするように制御する制御部２４を具備する。【選択図】図２
2015153662.tif 000002
【特許請求の範囲】
【請求項１】
照射口が形成された筐体と；
前記筐体内に設けられ、前記照射口に向けて光を発する発光素子と；
前記発光素子に対して、前記照射口が位置する側とは逆側に設けられ、前記発光素子の熱を放熱させるための放熱部と；
前記筐体を鉛直方向に回動可能に支持する支持部と；
前記筐体の姿勢を検知する検知部と；
前記検知部により検知された前記筐体の姿勢が、前記照射口が鉛直方向における上向きとなるような所定の姿勢である場合に、前記発光素子から発される光の光量を小さくするように制御する制御部と；
を具備することを特徴とする照明装置。
【請求項２】
前記制御部は、前記検知部により検知された前記筐体の姿勢が、前記所定の姿勢である場合に、前記発光素子を消灯するように制御することを特徴とする請求項１に記載の照明装置。
【請求項３】
照射口が形成された筐体と；
前記筐体内に設けられ、前記照射口に向けて光を発する発光素子と；
前記発光素子に対して、前記照射口が位置する側とは逆側に設けられ、前記発光素子の熱を放熱させるための放熱部と；
前記放熱部に送風可能なファンと；
前記筐体を鉛直方向に回動可能に支持する支持部と；
前記筐体の姿勢を検知する検知部と；
前記検知部により検知された前記筐体の姿勢が、前記照射口が鉛直方向における上向きとなるような所定の姿勢である場合に、前記放熱部に送風を行うように前記ファンを制御するか、または、前記発光素子から発される光の光量を小さくするように制御するとともに前記放熱部に送風を行うように前記ファンを制御する制御部と；
を具備することを特徴とする照明装置。
【請求項４】
前記検知部は、
一端から他端に亘って空洞が形成されたケースと、
前記ケースの一端側に設けられた、所定の力以上の力が加わった場合に押下されるボタンを有するとともに該ボタンが押下された場合に前記筐体の姿勢が前記所定の姿勢であることを示す信号を出力するスイッチと、
前記ケースの前記空洞に配置され、前記ケースの姿勢に応じて自身に加わる鉛直方向の重力に従って前記空洞内を移動し、前記筐体の姿勢が前記所定の姿勢である場合には、前記ボタンに前記所定の力以上の力を加えることが可能な質量を有する球体と、
を具備することを特徴とする請求項１〜３のいずれか１つに記載の照明装置。
【請求項５】
前記ケースの形状は、前記筐体の姿勢が前記所定の姿勢となった場合に、前記球体が前記ボタンに接触する位置まで移動するような形状であることを特徴とする請求項４に記載の照明装置。
【発明の詳細な説明】
【技術分野】
【０００１】
本発明の実施形態は、照明装置に関する。
【背景技術】
【０００２】
舞台やスタジオなどの演出用の照明装置として、例えば、スポットライトがある（例えば非特許文献１参照）。スポットライトの筐体は、アームなどによって鉛直方向に、回動可能に支持されている。また、スポットライトでは、照射口から近い順に、熱源となるＬＥＤ（Light  Emitting  Diode）などの発光素子と、発光素子から発生された熱の放熱を行う放熱部とが設けられている。
【先行技術文献】
【非特許文献】
【０００３】
【非特許文献１】「東芝エルティーエンジニアリング株式会社｜アートライティング｜製品カタログ｜LEDライト｜E-CORE［イー・コア］LEDスポットライト  10000シリーズ」、［online］、［平成２６年１月１６日検索］、インターネット<ＵＲＬ：http://www.lte.co.jp/art/catalogue/led/led＿spl＿10000.htm>
【発明の概要】
【発明が解決しようとする課題】
【０００４】
しかしながら、スポットライトの姿勢が、照射口が鉛直方向において上向きとなるような姿勢となった場合には、熱源となる発光素子が放熱部よりも上側に位置することとなる。この場合、発光素子から発生した熱が上昇するため、放熱部による放熱効率が悪化し、照明装置全体の温度が高くなることがある。そのため、このようなスポットライトでは、サイズが大きい放熱部が用いられる。
【０００５】
本発明が解決しようとする課題は、放熱部のサイズの小型化を図ることができる照明装置を提供することを目的とする。
【課題を解決するための手段】
【０００６】
実施形態の照明装置は、照射口が形成された筐体を具備する。照明装置は、筐体内に設けられ、照射口に向けて光を発する発光素子を具備する。照明装置は、発光素子に対して、照射口が位置する側とは逆側に設けられ、発光素子の熱を放熱させるための放熱部を具備する。照明装置は、筐体を鉛直方向に回動可能に支持する支持部を具備する。照明装置は、筐体の姿勢を検知する検知部を具備する。照明装置は、検知部により検知された筐体の姿勢が、照射口が鉛直方向における上向きとなるような所定の姿勢である場合に、発光素子から発される光の光量を小さくするように制御する制御部を具備する。
【発明の効果】
【０００７】
実施形態の照明装置によれば、放熱部のサイズの小型化を図ることができるという効果が期待できる。
【図面の簡単な説明】
【０００８】
【図１Ａ】図１Ａは、第１の実施形態に係る照明装置の外観の一例を示す図である。
【図１Ｂ】図１Ｂは、第１の実施形態に係る照明装置の外観の一例を示す図である。
【図２】図２は、第１の実施形態に係る照明装置の構成の一例を模式的に示した図である。
【図３】図３は、光学部材の光軸が延びる方向と、鉛直方向とが成す角の角度が、０°となるような筐体の姿勢を、上向き姿勢とする場合を説明するための図である。
【図４Ａ】図４Ａは、ケースの形状の他の例を示す図である。
【図４Ｂ】図４Ｂは、ケースの形状の他の例を示す図である。
【図５】図５は、第１の実施形態に係る照明装置の制御部が実行する処理の流れを示すフローチャートである。
【図６】図６は、第２の実施形態に係る照明装置の構成の一例を模式的に示した図である。
【図７】図７は、第３の実施形態に係る照明装置の構成の一例を模式的に示した図である。
【図８】図８は、第３の実施形態に係る制御部の機能構成の一例を示す図である。
【発明を実施するための形態】
【０００９】
以下で説明する第１〜第３の実施形態に係る照明装置１０は、照射口１３が形成された筐体１１を具備する。照明装置１０は、筐体１１内に設けられ、照射口１３に向けて光を発する発光素子２２を具備する。照明装置１０は、発光素子２２に対して、照射口１３が位置する側とは逆側に設けられ、発光素子２２の熱を放熱させるための放熱部２５を具備する。照明装置１０は、筐体１１を鉛直方向に回動可能に支持する支持部の一例であるアーム１４を具備する。照明装置１０は、筐体１１の姿勢を検知する検知部２６，４１を具備する。照明装置１０は、検知部２６，４１により検知された筐体１１の姿勢が、照射口１３が鉛直方向における上向きとなるような所定の姿勢である場合に、発光素子２２から発される光の光量を小さくするように制御する制御部２４を具備する。
【００１０】
また、以下で説明する制御部２４は、検知部２６，４１により検知された筐体１１の姿勢が、所定の姿勢（上向き姿勢）である場合に、発光素子２２を消灯するように制御する。
【００１１】
また、以下で説明する検知部２６は、一端から他端に亘って空洞が形成されたケース２９を具備する。また、検知部２６は、ケース２９の一端側に設けられた、所定の力Ｆ以上の力が加わった場合に押下されるボタン２７ａを有するとともに、ボタン２７ａが押下された場合に筐体１１の姿勢が上向き姿勢であることを示す信号（ＯＮ信号）を出力するスイッチ２７を具備する。また、検知部２６は、ケース２９の空洞に配置され、ケース２９の姿勢に応じて自身に加わる鉛直方向の重力に従って空洞内を移動し、筐体１１の姿勢が上向き姿勢である場合には、ボタン２７ａに所定の力Ｆ以上の力を加えることが可能な質量を有する球体２８を具備する。
【００１２】
また、以下で説明する第２の実施形態に係る照明装置３０は、照射口１３が形成された筐体１１を具備する。照明装置３０は、筐体１１内に設けられ、照射口１３に向けて光を発する発光素子２２を具備する。照明装置３０は、発光素子２２に対して、照射口１３が位置する側とは逆側に設けられ、発光素子２２の熱を放熱させるための放熱部２５を具備する。照明装置３０は、放熱部２５に送風可能なファン３１を具備する。照明装置３０は、筐体１１を鉛直方向に回動可能に支持する支持部の一例であるアーム１４を具備する。照明装置３０は、筐体１１の姿勢を検知する検知部２６を具備する。照明装置３０は、検知部２６により検知された筐体１１の姿勢が、照射口１３が鉛直方向における上向きとなるような上向き姿勢である場合に、放熱部２５に送風を行うようにファン３１を制御するか、または、発光素子２２から発される光の光量を小さくするように制御するとともに放熱部２５に送風を行うようにファン３１を制御する制御部２４を具備する。
【００１３】
また、以下で説明するケース２９の形状は、筐体１１の姿勢が上向き姿勢となった場合に、球体２８がボタン２７ａに接触する位置まで移動するような形状である。
【００１４】
以下、図面を参照して、各実施形態に係る照明装置について説明する。また、以下の各実施形態で説明する照明装置は、一例を示すに過ぎず、本発明を限定するものではない。
【００１５】
［照明装置１０の外観例］
第１の実施形態について説明する。図１Ａおよび図１Ｂは、第１の実施形態に係る照明装置１０の外観の一例を示す図である。照明装置１０は、例えば、舞台やスタジオなどの演出用のスポットライトである。図１Ａおよび図１Ｂに示すように、照明装置１０は、筐体１１と、バンドア１２と、アーム１４とを有する。筐体１１は、略四角形の箱形に形成され、光を吸収し反射を抑制するように黒色に塗装されている。筐体１１の前面には、照射口１３が形成されている。この照射口１３から、筐体１１の内部に設けられた後述の複数の発光素子２２が発する光が出力される。バンドア１２は、照射口１２から出力される光を遮光するための部材であり、上述の理由と同様の理由で黒色に塗装されている。アーム１４は、筐体１１を回動可能に支持する。よって、筐体１１は、アーム１４の回転軸１４ａを支点として回動することができる。本実施形態では、アーム１４は、舞台やスタジオなどの天井に取り付けられ、筐体１１を鉛直方向に回動可能に支持する。なお、アーム１４は、支持部の一例である。
【００１６】
図２は、第１の実施形態に係る照明装置１０の構成の一例を模式的に示した図である。図２の例に示すように、照明装置１０は、光学部材２１と、複数の発光素子２２と、駆動回路２３と、制御部２４と、放熱部２５と、検知部２６とを有する。
【００１７】
光学部材２１は、筐体１１の照射口１３付近に設けられる。光学部材２１は、例えば、レンズなどを含み、複数の発光素子２２から照射される光を集光して照射口１３から出力する機能を有する。
【００１８】
発光素子２２は、たとえば、白色の光を発するＬＥＤである。なお、発光素子２２は、白色以外の色を発するＬＥＤであってもよい。また、発光素子２２は、例えば、発する光の光量に応じた熱量の熱を発生する。
【００１９】
駆動回路２３は、入力された指示に応じて複数の発光素子２２を制御する。
【００２０】
制御部２４については後述する。放熱部２５は、発光素子２２に対して照射口１３側とは逆側に設けられる。放熱部２５は、筐体１１内の熱を放熱させるための放熱フィンなどの放熱部材である。例えば、放熱部２５は、自然空冷によって、筐体１１内の発光素子２２の熱を放熱させる。
【００２１】
検知部２６は、筐体１１の姿勢を検知して、筐体１１の姿勢が、照射口１３が鉛直方向における上向きとなるような所定の姿勢である場合に、筐体１１の姿勢が所定の姿勢であることを示すＯＮ信号を制御部２４に出力する。ここで、所定の姿勢とは、例えば、光学部材２１の光軸２１ａが延びる方向と、鉛直方向とが成す角の角度が、β°（０≦β＜９０）以下となるような場合の筐体１１の姿勢を指す。以下の説明では、かかる所定の姿勢を「上向き姿勢」と称する場合がある。
【００２２】
検知部２６は、スイッチ２７と、球体２８と、ケース２９とを有する。
【００２３】
ケース２９は、一端から他端に亘って空洞が形成されている。ケース２９の一端側には、球体２８によりスイッチ２７のボタン２７ａが押下可能なように、スイッチ２７が設けられている。また、ケース２９の他端側には、球体２８がケース２９の他端側から出ないように、ケース２９の他端を覆うための蓋２９ａが設けられている。ここで、ケース２９は、例えば、光軸２１が延びる方向と、ケース２９に形成された空洞が延びる方向とが一致するように、筐体１１内に設けられる。
【００２４】
スイッチ２７は、ボタン２７ａを有する。ボタン２７ａは、所定の力Ｆ以上の力が加わった場合に押下される。そして、スイッチ２７は、ボタン２７ａが押下された場合には、スイッチがオン（ＯＮ）されたことを示すＯＮ信号を制御部２４に出力する。なお、スイッチ２７は、ボタン２７ａが押下されている間は、ＯＮ信号を出力し続ける。また、後述するが、筐体１１の姿勢が上向き姿勢である場合に、ＯＮ信号が出力されるので、このＯＮ信号は、筐体１１の姿勢が上向き姿勢であることを示す信号ともいえる。
【００２５】
球体２８は、例えば、直径が１ｃｍ程度の金属の球体であり、ケース２９に形成された空洞に配置される。そして、球体２８は、ケース２９の姿勢に応じて、球体２８に加わる鉛直方向の重力にしたがって、ケース２９に形成された空洞内を移動する。例えば、照射口１３が鉛直方向における上向きとなるように筐体１１が回動して、光軸２１が延びる方向と鉛直方向との成す角の角度が９０°よりも小さくなるようにケース２９の姿勢が変化した場合には、球体２８は、ボタン２７ａに接触するまで、ケース２９に形成された空洞内をボタン２７ａに向けて移動する。また、球体２８の質量は、筐体１１の姿勢が上向き姿勢となった場合に、ボタン２７ａに所定の力Ｆ以上の力が加わるような質量である。したがって、本実施形態では、筐体１１の姿勢が上向き姿勢である場合には、球体２８によりボタン２７ａが押下されて、スイッチ２７からＯＮ信号が制御部２４に出力される。
【００２６】
ここで、光学部材２１の光軸２１ａが延びる方向と、鉛直方向とが成す角の角度が、０°となるような筐体１１の姿勢を、上向き姿勢とする場合を例に挙げて図３を参照して説明する。図３に示すように、光学部材２１の光軸２１ａが延びる方向と、鉛直方向とが成す角の角度が、０°となり、筐体１１の姿勢が上向き姿勢になると、球体２８によりボタン２７ａが押下されて、スイッチ２７からＯＮ信号が制御部２４に出力される。
【００２７】
なお、上記では、ケース２９がまっすぐに延びる形状である場合について説明したが、ケース２９の形状はこれに限られない。例えば、図４Ａに示すように、ケース２９として、一端から他端まで空洞が形成され、まっすぐに延びる形状のケース７０ａの他端と、一端から他端まで空洞が形成されたＵ字型の形状のケース７０ｂの一端とが連結されたケースを採用することができる。なお、ケース７０ｂは、光軸２１ａが延びる方向と鉛直方向とが成す角の角度がβ°よりも大きい場合の筐体１１の姿勢から、筐体１１の姿勢が変化して、光軸２１ａが延びる方向と鉛直方向とが成す角の角度がβ°となったときに球体２８とボタン２７ａとが接触するように、形状が調整されている。
【００２８】
また、図４Ｂに示すように、ケース２９として、一端から他端まで空洞が形成され、まっすぐに延びる形状のケース７１ａの他端と、一端から他端まで空洞が形成され、まっすぐに延びる形状のケース７１ｂの一端とが角度α°で連結され、ケース７１ｂの他端と、一端から他端まで空洞が形成され、まっすぐに延びる形状のケース７１ｃの一端とが連結されたケースを採用することができる。なお、角度α°は、光軸２１ａが延びる方向と鉛直方向とが成す角の角度がβ°よりも大きい場合の筐体１１の姿勢から、筐体１１の姿勢が変化して、光軸２１ａが延びる方向と鉛直方向とが成す角の角度がβ°となったときに球体２８とボタン２７ａとが接触するに調整された角度である。
【００２９】
制御部２４は、照明装置１０全体の動作を制御する。制御部２４は、スポットライトにおける公知の制御を行うことに加え、以下の処理を行う。例えば、制御部２４は、スイッチ２７から出力されたＯＮ信号を受信すると、駆動回路２３に、発光素子２２を消灯させる指示を出力する。かかる指示を受信した駆動回路２３は、全ての発光素子２２を消灯させる。なお、制御部２４は、ＯＮ信号を受信すると、駆動回路２３に、発光素子２２から発される光の光量を小さくする指示を出力するようにしてもよい。この場合には、かかる指示を受信した駆動回路２３は、複数の発光素子２２のそれぞれから発される光の光量が小さくなるように、発光素子２２を制御する。制御部２４のハードウェアとしては、ＣＰＵ（Central  Processing  Unit）、ＲＯＭ（Read  Only  Memory）およびＲＡＭ（Random  Access  Memory）を有するマイクロコンピュータが挙げられる。
【００３０】
図５は、第１の実施形態に係る照明装置１０の制御部２４が実行する処理の流れを示すフローチャートである。図５のフローチャートが示す処理は、例えば、照明装置１０の発光素子２２から光が出力されている間、繰り返し、実行される。図５に示すように、制御部２４は、ＯＮ信号を受信したか否かを判定する（Ｓ１０１）。ＯＮ信号を受信していないと判定された場合（Ｓ１０１；Ｎｏ）には、制御部２４は、再び、Ｓ１０１の判定を行う。一方、ＯＮ信号を受信したと判定された場合（Ｓ１０１；Ｙｅｓ）には、制御部２４は、駆動回路２３に、発光素子２２を消灯させる指示を出力し（Ｓ１０２）、処理を終了する。なお、Ｓ１０２において、制御部２４は、駆動回路２３に、発光素子２２から発される光の光量を小さくする指示を出力するようにしてもよい。
【００３１】
以上、本実施形態に係る照明装置１０について説明した。照明装置１０は、照射口１３が形成された筐体１１を具備する。照明装置１０は、筐体１１内に設けられ、照射口１３に向けて光を発する発光素子２２を具備する。照明装置１０は、発光素子２２に対して、照射口１３が位置する側とは逆側に設けられ、発光素子２２の熱を放熱させるための放熱部２５を具備する。照明装置１０は、筐体１１を鉛直方向に回動可能に支持する支持部の一例であるアーム１４を具備する。照明装置１０は、筐体１１の姿勢を検知する検知部２６を具備する。照明装置１０は、検知部２６により検知された筐体１１の姿勢が、照射口１３が鉛直方向における上向きとなるような上向き姿勢である場合に、発光素子２２から発される光の光量を小さくするように制御する制御部２４を具備する。よって、照明装置１０によれば、照射口１３が鉛直方向における上向きとなるような上向き姿勢である場合に、発光素子２２から発される光の光量が小さくなるので、放熱部２５のサイズが小さい場合であっても、放熱部２５によって照明装置１０内の温度の上昇を抑制することが可能となる。したがって、照明装置１０によれば、放熱部２５のサイズの小型化を図ることができる。
【００３２】
また、制御部２４は、検知部２６により検知された筐体１１の姿勢が、上向き姿勢である場合に、発光素子２２を消灯するように制御する。これにより、放熱部２５のサイズがさらに小さい場合であっても、放熱部２５によって照明装置１０内の温度の上昇を抑制することが可能となる。したがって、放熱部２５のサイズの小型化をさらに図ることができる。
【００３３】
また、検知部２６は、一端から他端に亘って空洞が形成されたケース２９を具備する。また、検知部２６は、ケース２９の一端側に設けられた、所定の力Ｆ以上の力が加わった場合に押下されるボタン２７ａを有するとともに、ボタン２７ａが押下された場合に筐体１１の姿勢が上向き姿勢であることを示す信号（ＯＮ信号）を出力するスイッチ２７を具備する。また、検知部２６は、ケース２９の空洞に配置され、ケース２９の姿勢に応じて自身に加わる鉛直方向の重力に従って空洞内を移動し、筐体１１の姿勢が上向き姿勢である場合には、ボタン２７ａに所定の力Ｆ以上の力を加えることが可能な質量を有する球体２８を具備する。よって、検知部２６は、ケース２９と、スイッチ２７と、球体２８とを具備するだけで、筐体１１の姿勢が上向き姿勢であることを検知する。したがって、検知部２６によれば、ケース２９と、スイッチ２７と、球体２８とを具備するという簡易な構成で、筐体１１の姿勢が上向き姿勢であることを検知することができる。
【００３４】
また、図４Ａや図４Ｂに示すケース２９の形状は、筐体１１の姿勢が上向き姿勢となった場合に、球体２８がボタン２７ａに接触する位置まで移動するような形状である。
【００３５】
次に、第２の実施形態について説明する。第１の実施形態に係る照明装置１０の構成と同一の構成については、同一の符号を付して説明を省略する場合がある。
【００３６】
図６は、第２の実施形態に係る照明装置３０の構成の一例を模式的に示した図である。図６の例に示すように、照明装置３０は、第１の実施形態に係る照明装置１０と比べて、ファン３１を有する点が異なる。第２の実施形態に係る制御部２４は、ＯＮ信号を受信すると、ファン３１に対して送風を開始する指示を出力する。ファン３１は、放熱部２５に送風可能な位置に設けられている。ファン３１は、羽根（図示せず）を有し、制御部２４から出力されたファン３１に対して送風を開始する指示を受信すると、羽根を回転させることにより放熱部２５に空気を送る。これにより、強制冷却となり、放熱部２５の放熱性能が高まる。
【００３７】
以上、本実施形態に係る照明装置３０について説明した。照明装置３０は、照射口１３が形成された筐体１１を具備する。照明装置３０は、筐体１１内に設けられ、照射口１３に向けて光を発する発光素子２２を具備する。照明装置３０は、発光素子２２に対して、照射口１３が位置する側とは逆側に設けられ、発光素子２２の熱を放熱させるための放熱部２５を具備する。照明装置３０は、放熱部２５に送風可能なファン３１を具備する。照明装置３０は、筐体１１を鉛直方向に回動可能に支持する支持部の一例であるアーム１４を具備する。照明装置３０は、筐体１１の姿勢を検知する検知部２６を具備する。照明装置３０は、検知部２６により検知された筐体１１の姿勢が、照射口１３が鉛直方向における上向きとなるような上向き姿勢である場合に、放熱部２５に送風を行うようにファン３１を制御する制御部２４を具備する。照明装置３０によれば、照射口１３が鉛直方向における上向きとなるような上向き姿勢である場合に、強制冷却となり放熱部２５の放熱精度が高まるので、放熱部２５のサイズが小さい場合であっても、放熱部２５によって照明装置３０内の温度の上昇を抑制することが可能となる。したがって、照明装置３０によれば、放熱部２５のサイズの小型化を図ることができる。
【００３８】
なお、第２の実施形態に係る制御部２４は、ＯＮ信号を受信した場合に、ファン３１に対して送風を開始する指示を出力することに加えて、第１の実施形態と同様に、駆動回路２３に、発光素子２２を消灯させる指示、または、発光素子２２から発される光の光量を小さくする指示を出力するようにしてもよい。この場合には、放熱冷却に加えて、発光素子２２の熱の熱量が大きくなることが抑制されるため、放熱部２５のサイズの小型化をさらに図ることができる。
【００３９】
次に、第３の実施形態について説明する。第１の実施形態に係る照明装置１０の構成と同一の構成については、同一の符号を付して説明を省略する場合がある。
【００４０】
図７は、第３の実施形態に係る照明装置４０の構成の一例を模式的に示した図である。図７の例に示すように、照明装置４０は、第１の実施形態に係る照明装置１０と比べて、検知部２６に代えて角度センサ４１を有する点が異なる。角度センサ４１は、例えば、加速度センサであり、本実施形態では、鉛直方向と光軸２１ａが延びる方向との成す角の角度θ°を検出するように構成されている。角度センサ４１は、所定時間（例えば１秒）間隔で角度θ°を検知し、検知した角度θ°を示す検知信号を制御部２４に出力する。
【００４１】
図８は、第３の実施形態に係る制御部２４の機能構成の一例を示す図である。第３の実施形態に係る制御部２４を機能的に表すと、図８に示すように、制御部２４が検知部２４ａと発光素子制御部２４ｂとを有することとなる。なお、角度センサ４１および検知部２４ａは、検知部の一例である。また、発光素子制御部２４ｂは、制御部の一例である。検知部２４ａは、検知信号を受信するたびに、受信した検知信号が示す角度θ°が上述の角度β°以下であるか否かを判定する。受信した検知信号が示す角度θ°が角度β°以下であると検知部２４ａにより判定された場合には、発光素子制御部２４ｂは、第１の実施形態と同様に、駆動回路２３に、発光素子２２を消灯させる指示、または、発光素子２２から発される光の光量を小さくする指示を出力する。これにより、第１の実施形態と同様の理由で、放熱部２５のサイズの小型化を図ることができる。
【００４２】
なお、第２の実施形態において、照明装置３０が、検知部２６に代えて、上述の角度センサ４１を有する構成とすることもできる。この場合、発光素子制御部２４ｂは、受信した検知信号が示す角度θ°が角度β°以下であると検知部２４ａにより判定されると、第２の実施形態と同様に、ファン３１に対して送風を開始する指示、もしくは、ファン３１に対して送風を開始する指示を出力することに加えて、駆動回路２３に、発光素子２２を消灯させる指示、または、発光素子２２から発される光の光量を小さくする指示を出力する。
【００４３】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００４４】
１０      照明装置
１１      筐体
１３      照射口
１４      アーム
２１      光学部材
２１ａ    光軸
２２      発光素子
２３      駆動回路
２４      制御部
２５      放熱部
２６      検知部
２７      スイッチ
２７ａ    ボタン
２８      球体
２９      ケース
【図１Ａ】
2015153662.tif 000003
【図１Ｂ】
2015153662.tif 000004
【図２】
2015153662.tif 000005
【図３】
2015153662.tif 000006
【図４Ａ】
2015153662.tif 000007
【図４Ｂ】
2015153662.tif 000008
【図５】
2015153662.tif 000009
【図６】
2015153662.tif 000010
【図７】
2015153662.tif 000011
【図８】
2015153662.tif 000012